(57)【特許請求の範囲】
【請求項１】
箱体（１）両側面の所要の高さに環掛金具（Ｃ）を背後の壁（２）向きに付設し，両環掛金具（Ｃ）に係留した枝綱（Ｎ）が壁（２）に略鉛直となる両部位それぞれの縦方向の対称な２部位に環掛金具（Ｃ）を付設し両環掛金具（Ｃ）を幹綱（Ｍ）により連係しその中間位を枝綱（Ｎ）によりそれぞれ係留してなる索条の係留装置。
【請求項２】
箱体（１）両側面の所要の高さに環掛金具（Ｃ）を背後の壁（２）向きに付設し，両環掛金具（Ｃ）に係留した枝綱（Ｎ）が壁（２）に略鉛直となる両部位それぞれの横方向の対称な２部位に環掛金具（Ｃ）を付設し両環掛金具（Ｃ）を幹綱（Ｍ）により連係しその中間位を枝綱（Ｎ）によりそれぞれ係留してなる索条の係留装置。
【請求項３】
箱体（１）両側面の所要の高さに環掛金具（Ｃ）を背後の壁（２）向きに付設し，両環掛金具（Ｃ）に係留した枝綱（Ｎ）が壁（２）に略鉛直となる両部位それぞれの横方向の箱体（１）両側面を挟む両外側の，対称な部位に環掛金具（Ｃ）を付設し両環掛金具（Ｃ）を幹綱（Ｍ）により連係し他端によりそれが幹綱（Ｍ）に略鉛直である部位をそれぞれ係留してなる索条の係留装置。
【請求項４】
箱体（１）両側面の所要の高さに環掛金具（Ｃ）を床（３）向きに付設し両環掛金具（Ｃ）に係留した枝綱（Ｎ）が床（３）に略鉛直となる両部位それぞれの両側にそって対称な２部位に環掛ねじ（Ｅ）を付設し，両環掛ねじ（Ｅ）を幹綱（Ｍ）により連係しその中間位をそれぞれ枝綱（Ｎ）により係留してなる索条の係留装置。
【請求項５】
室内に組立てた家屋の耐震補強構造体の所要の線材上に各枝綱（Ｎ）を係留して垂下しそれに対称であり根太（４）に並行で対をなす壁  （２）の２部位に，環掛フック（Ｆ）を付設し，両環掛フック（Ｆ）の環（Ｄ）を幹綱（Ｍ）により連係しその中間位を該枝綱（Ｎ）により係留してなる索条の係留装置。
【発明の詳細な説明】
【技術分野】
【０００１】
本発明は，大地震における家具類（以下，箱体と呼称）の転倒防止，家屋の耐震補強構造体（特願２０００−３２００４０）の震動抑制に用いる索条の係留装置に関する。
【背景技術】
【０００２】
従来，箱体の転倒防止装置は，（１）箱体を該室内装の一部として造作する，（２）箱体の上面と天井間に突支棒を嵌めその上下間に生じる圧力により固定する，（３）箱体と，それに左右対称である直近の壁もしくは柱に紐状金具をそれぞれねじで付設し転倒を防ぐ等の装置であった。
【０００３】
耐震補強構造体は室内に設置する点は他の箱体に共通であるが大寸法の構造体であり，室の内面に沿って組立てるので，自体の根太を床板又は床下の根太にボルトで固定するものであった。
【特許文献１】
特願２０００−３２００４０
【発明の開示】
【発明が解決しようとする課題】
【０００４】
箱体の転倒防止装置は，（１）においては大工の専門に属する技術が必要であり，（２）においては横方の震動に安定を保ちにくい難点と，天井との間に適度の空きが必要であり，（３）においては箱体と壁との間隙に合う金具の構成及び索条の選定に制約があり，そのうえ該金具の固定用ねじの軸線方向に衝動が作用するため強い震動に対して転倒を防ぐことは容易でなかった。
【０００５】
家屋の耐震補強構造体は縦来例にない大規格の構造体であり床と天井間に強い上下動が想定される。該構造体をたとえ床下の根太に植込ボルトで固定しても衝動がボルトの軸線方に作用し十分に固定することは困難であった。また，それは床下に入ってボルトを植え込むなどの煩雑な作業を伴うものであった。
【課題を解決するための手段】
【０００６】
本発明は箱体の両側面に係留金具を設けて枝綱を係留し両枝綱がそれぞれ鉛直面をなす壁もしくは床の縦又は横線上の２箇所に対に係留具を付設して幹綱により連係し，その中間位を枝綱によりそれぞれ係留する。
【０００７】
耐震補強構造体は，それを構成する線材の所定の部位に枝綱を係留して垂下し，その部位に対称で根太に並行し近接する壁の両部位にそれぞれ係留具を対に付設し幹綱に所要の弛みをおいて連結しその中間位を該枝綱により係留する。
【０００８】
［作  用］
箱体が震動により壁の前方に押されると両枝綱が緊張し，その引張り力の主要部は幹綱の係留部から連係の環が引き合う方向に作用するので，ねじの軸方にかかる引張り力の一部は該ねじの略鉛直方向に変換する。
【０００９】
箱体の両側面より枝綱を垂下し床面に配した幹綱に係留する構成において，床面の上下震動により両枝綱が緊張する。枝綱の引張り力の主要部は幹綱の係留部から連係の環が引き合う方向に作用し，ねじの軸方向にかかる引張り力の一部が該ねじの略鉛直方向に変換する機能は，上述の壁面に幹綱を配する例と同じである。
【００１０】
耐震補強構造体に上方への衝動が加わると各枝綱にかかる引張り力は壁に付設の幹綱により，環掛フックの軸部に鉛直に引き合う力が２方向に分散し該環掛フック軸部の曲げ応力を強める。
【発明の効果】
【００１１】
本発明は，上述のように構成されているので，次に記載する効果を奏する。
【００１２】
請求項１及び同２に関し箱体は，自体に係留してある枝綱の他端を，最寄りの壁に付設してある係留金具を幹綱で連係しその中間位に係留することにより，大地震に際してもその安定を保持することができる。係留具の機能にそい薄い板材に使用も可能であることと相まって距離的に制約のない各種索状を用い簡単に係留できるので一般の使用に適している。
【００１３】
請求項３に関し，本構成は箱体と壁との間に索条をとおす隙間があれば該箱体は動かさず係留することができる。固定力は図１，２のそれに比べ半減するが環掛金具各一個を箱体の両側面外に付設するだけであり，それを上下に配することにより容易に所要の強度を補うことができる。
【００１４】
請求項４に関し室内においてはピアノ，寝台などの係留に適している。本構成による抑止機能は台風，竜巻等に備えての屋根囲い等に効果を発揮する。
【００１５】
請求項５に関し室内に組立てた家屋の耐震補強用の構造体を，壁の所定の各２部位に打ち込んだ環掛フック間の幹綱を，その中間位が略９０゜の頂角となる形状に枝綱を用い控根太間に係留したことにより該構造体を床に固定することができた。
【００１６】
上述のように，請求項１〜４に関し，箱体を安全に係留することができ大地震においても，その転倒，飛来を防ぐことが可能になった。
請求項５に関し，室内に耐震補強構造体を容易に係留できるので，その実施に伴う課題を解決でき，中古住宅の耐震補強がより容易に可能になった。
【実施例１】
【００１７】
実施例について図面を参照して説明する。図１は請求項１に関する。箱体１両側面の上下略中間位に環掛金具Ｃを壁２に面し横方向に付設している。両環掛金具Ｃにはそれぞれ枝綱Ｎの一端を係留し，それが背後の壁２に鉛直な両部位それぞれに縦方向に対称な２部位に対に環掛金具Ｃを付設している。各両環掛金具Ｃは幹綱Ｍにより連係しその中間位を該枝綱Ｎの他端により係留している。
【００１８】
震動により箱体１を壁２の前方へ押圧する力を２００ＫｇＷとすると両枝綱Ｎから各幹綱Ｍにかかる引張り力Ｆ＝１００ＫｇＷであり，その引っ張りにより２等辺をなす幹綱Ｍの両辺それぞれにかかる力は５０ＫｇＷである。
図１ａより，△ＡＢＣにおいてＡ，Ｃは環掛金具Ｃの付設部位を示す。
α＝１０゜，線ＡＣに鉛直な力をｆ，ＡＣ間に引き合う力をｆ´とすると
ｆ＝ＡＥ＝５０ｓｉｎ１０゜＝８．６８ＫｇＷ
ｆ´＝ＥＧ＝５０ｃｏｓ１０゜＝４９．２４ＫｇＷ
即ち，幹綱Ｍが環掛金具Ｃ１個を取付ねじの軸線方向に引く力は枝綱Ｎにかかる力１００ｋｇＷの８．６８％に減少し両係留金具Ｃ間に，取付ねじの鉛直方向に引く力は，４９．２４％に変換している。
【００１９】
図２は請求項２に関する。箱体１に係留してある両枝綱Ｎが背後の壁２に鉛直な両部位それぞれの横方向に対称な２部位に対に環掛金具Ｃを付設している。その他の構成は図１におけると同じである。
【００２０】
図３は請求項３に関する。箱体１の背後の壁２において両枝綱Ｎが鉛直な両部位を結ぶ横方向の，該箱体１の両側面外側の対称な２部位に環掛金具Ｃを付設している。両環掛金具Ｃは幹綱Ｍにより連係し，両枝綱Ｎはそれが該幹綱Ｍに鉛直な部位を係留している。
【００２１】
この構成は壁２との間に索条を通す隙間があれば該箱体１は動かさず係留できる。上述の用例によれば環掛金具Ｃは２個であり，その固定力は図１のそれに比べ半減している。それを補完するには，同一の構成になる幹綱Ｍ及び枝綱Ｎを上下２段に配設して係留することが好ましい。
【００２２】
図４は請求項４に関する。箱体１両側面の上下略中間位に環掛金具Ｃを床３向きに付設しそれに係留の両枝綱Ｎが床面に略鉛直となる両部位に対称であり，かつ該箱体１の両側面に並行な各２部位に環掛ねじＥを付設し両環掛ねじＥを幹綱Ｍにより連係しその中間位を同じ側の枝綱Ｎによりそれぞれ係留している。
【００２３】
図５は環掛金具Ｃに関する。その構成は方形の環掛板Ｃ1 の長手方向中間位に透孔を有する筒状の環掛Ｄ1 を横方向に一体に形成し環掛Ｄ1 を対称に所要のねじ穴Ｃ3 を設けている。環Ｄは該透孔と同径の棒材を略半環に，かつ両端部を内向きに曲げ直状に突き合わせて環Ｄを形成し，その直状部を該透孔に掛け止めている。
【００２４】
図６は環掛ねじＥに関する。環掛ねじＥは木ねじの軸部を円環に曲げて環掛Ｄ1 とし，それに棒材を円環に曲げた環Ｄを振幅自在に掛止し軸上の，環掛Ｄ1 下端縁に相当の部位に同心円をなす固定座金Ｅ1 を一体に固定している。
【００２５】
軸部にかかるより強い応力には点線で示す軸受座金Ｅ2 を用いることが好ましい。軸受座金Ｅ2 は中心部にねじ軸部と同径の透孔を設け自体の外周縁が環Ｄより大径かつ中心角が均等な少なくとも４箇所にねじ穴Ｃ3 を設けてあり該環掛ねじＥの軸部に嵌挿し床にねじで固定する。もしくは各対の環掛ねじＥの軸頭部間に寄止板を付設してもよい。
【００２６】
箱体１が既製の冷蔵庫であれば環掛金具Ｃの付設は一般にかなりの困難ないし支障が予想される。それへの対応としては，環掛金具Ｃの付設に相当の部位上にロープを縦に巻いて緊締し，それに該枝綱Ｎを係留する。別の方法としては，１本の長い枝綱Ｎを冷蔵庫の上下ドア間に回らし，その両端を幹綱Ｍに係留する。
【００２７】
図７は請求項５に関する。控根太５上の所定の各部位に枝綱Ｎを係留し，それが根太４に略鉛直な部位に近接し壁２の，該根太４に並行かつ対称な２部位に環掛フックＦを該フックＦ1 の谷径と略同径の道穴を設けて打ちこみ，幹綱Ｍを用いて両環Ｄに所要のたわみをおいて連係している。枝綱Ｎは幹綱Ｍの両辺が略直角をなす中間位を係留している。
環掛フックＦを床３に設ける場合，幹綱Ｍの連係の仕方は箱体１を床３に配する請求項４の構成例と同じである。
【００２８】
図７において，幹綱Ｍが壁２に付設の環掛フックＦに作用する力はフックＦ1の軸線に鉛直であり，枝綱Ｎによる引張り力Ｗの２等分＝Ｗ／２に相当する。次に両フックＦ間の応力と各環掛フックＦの軸線に鉛直な応力を２分する条件を求める。図７ｂにおいて題意により
ＡＥ＝ＡＧｓｉｎα
ＥＧ＝ＡＧｃｏｓα
ＡＥ＝ＥＧよりｓｉｎα＝ｃｏｓαに適する角度は関数表より０．７０７１＝４５゜であり図７ｂの△ＡＢＣは上述の条件に一致する。即ち幹綱Ｍは枝綱Ｎの係留部をもって頂角９０゜の二等辺三角状に連係することにより，各フックＦにかかる応力を２方向に均等に分散することができる。
【００２９】
図８は請求項５に関する環掛フックＦを示す。フックＦ1 は通常のボルトにおけるねじに替え，軸の頭部側へ錘形に開き各フックＦ1 の上面は該軸に略鉛直面をなして螺刻している。使用対象は木質材若しくはそれに準ずる非金属材の床３又は壁２であり，道穴は該フックＦ1 の谷径と略同径に設けてあり，該環掛フックＦを付設するには木槌又はハンマで打ちこむ。それを抜きとるには，ねじ込みの逆向きに回す。軸の頭部は打ちこみに適する形状，１例としてボルト頭部又はそれに準ずる構成としてもよい。フックＦ1 の先端形状は，径が略釘に同じであれば４角錐に構成することが好ましい。
【００３０】
各実施例の構成は互換性を有する。
【図面の簡単な説明】
【００３１】
【図１】  幹綱を縦に配し箱体を係留してなる正面図，平面図及び左側面図である。
【図１ａ】  幹綱及び枝綱を係留具の軸方向に係留する説明図である。
【図２】  幹綱を横に配し箱体を係留してなる正面図，平面図及び左側面図である。
【図３】  幹綱を１本だけ箱体両側面外側の係留金具間に配し係留してなる平面図である。正面図及び左側面図は図２のそれと同じに表れる。
【図４】  床面に幹綱を配し箱体を係留してなる正面図，平面図及び左側面図である。
【図５】  環掛金具の正面図，平面図及び左側面図である。
【図６】  環掛ねじの正面図，平面図，左側面図及びＡ−Ａ断面図である。
【図７】  壁面に環掛フックを付設して幹綱を配し耐震補強構造体の控根太を係留してなる正面図，平面図及び左側面図である。
【図７ｂ】  幹綱及び枝綱を係留具の軸に鉛直方向に係留する説明図である。
【図８】  環掛フックの正面図，平面図，左側面図及びＲ拡大図である。
【図９】  従来の，紐状金具により箱体の係留を示す立体図である。
【符号の説明】
【００３１】
Ｃ    環掛金具            Ｃ１  環掛板                Ｃ３  ねじ穴
Ｄ    環                  Ｄ１  環掛                  Ｅ    環掛ねじ
Ｅ１  固定座金            Ｅ２  軸受座金              Ｆ    環掛フック
Ｆ１  フック              Ｍ    幹綱                  Ｎ    枝綱
１    箱体                ２    壁                    ３    床
４    根太                ５    控根太
【図１】
0003852095.tif 000002
【図１ａ】
0003852095.tif 000003
【図２】
0003852095.tif 000004
【図３】
0003852095.tif 000005
【図４】
0003852095.tif 000006
【図５】
0003852095.tif 000007
【図６】
0003852095.tif 000008
【図７】
0003852095.tif 000009
【図７ｂ】
0003852095.tif 000010
【図８】
0003852095.tif 000011
【図９】
0003852095.tif 000012